(57)【要約】      （修正有）【課題】簡便に実施することができ、且つ、効率的にバラ科作物の果実の結実を促進する剤、及び、当該剤を施用する方法を提供する。【解決手段】下記に示される式（Ｉ）のシクロヘキサン誘導体2014150744.tif 000015（式中、Ｒは水素、Ｃ１〜Ｃ６アルキル基、Ｃ１〜Ｃ６ハロアルキル基又はフェニル基を表わし、Ｒ１は水素、Ｃ１〜Ｃ６アルキル基、Ｃ３〜Ｃ６シクロアルキル基又はベンジル基を表わす。）及び／又はその塩（例えば、カルシウム塩）を有効成分として含有する剤を施用する。【選択図】なし【特許請求の範囲】
【請求項１】
下記化６で示される式（Ｉ）のシクロヘキサン誘導体及び／又はその塩を有効成分として含有する剤を施用することを特徴とする、バラ科作物の果実の結実を促進する方法。
【化６】
2014150744.tif 000009
（式中、Ｒは水素、Ｃ１〜Ｃ６アルキル基、Ｃ１〜Ｃ６ハロアルキル基又はフェニル基（置換されたフェニル基を含む）を表わし、Ｒ１は水素、Ｃ１〜Ｃ６アルキル基、Ｃ３〜Ｃ６シクロアルキル基又はベンジル基（置換されたベンジル基を含む）を表わし、あるいは塩としてはアルカリ金属塩又はアルカリ土類金属塩を表わす。）
【請求項２】
該シクロヘキサン誘導体又はその塩が、式（Ｉ）において、Ｒが水素又はＣ１〜Ｃ６アルキル基、Ｒ１がＣ１〜Ｃ６アルキル基又はＣ３〜Ｃ６シクロアルキル基を表わし、塩がカルシウム塩であることを特徴とする、請求項１に記載の方法。
【請求項３】
該シクロヘキサン誘導体又はその塩が、下記化７で示される式（ＩＩ）の化合物、又は下記化８で示される式（ＩＩＩ）のカルシウム塩化合物であることを特徴とする、請求項２に記載の方法。
【化７】
2014150744.tif 000010
【化８】
2014150744.tif 000011
【請求項４】
バラ科作物がサクラ属の果樹であることを特徴とする、請求項１〜３のいずれか１項に記載の方法。
【請求項５】
バラ科サクラ属果樹がオウトウであることを特徴とする、請求項４に記載の方法。
【請求項６】
収穫当年の発芽期から満開期に施用することを特徴とする、請求項１〜５のいずれか１項に記載の方法。
【請求項７】
蕾又は花に噴霧施用することを特徴とする、請求項１〜６のいずれか１項に記載の方法。
【請求項８】
下記化６で示される式（Ｉ）のシクロヘキサン誘導体及び／又はその塩を有効成分として含有することを特徴とする、バラ科作物の果実の結実促進剤。
【化６】
2014150744.tif 000012
（式中、Ｒは水素、Ｃ１〜Ｃ６アルキル基、Ｃ１〜Ｃ６ハロアルキル基又はフェニル基（置換されたフェニル基を含む）を表わし、Ｒ１は水素、Ｃ１〜Ｃ６アルキル基、Ｃ３〜Ｃ６シクロアルキル基又はベンジル基（置換されたベンジル基を含む）を表わし、あるいは塩としてはアルカリ金属塩又はアルカリ土類金属塩を表わす。）
【請求項９】
該シクロヘキサン誘導体又はその塩が、式（Ｉ）において、Ｒが水素又はＣ１〜Ｃ６アルキル基、Ｒ１がＣ１〜Ｃ６アルキル基又はＣ３〜Ｃ６シクロアルキル基を表わし、塩がカルシウム塩であることを特徴とする、請求項８に記載の剤。
【請求項１０】
該シクロヘキサン誘導体又はその塩が、下記化７で示される式（ＩＩ）の化合物、又は下記化８で示される式（ＩＩＩ）のカルシウム塩化合物であることを特徴とする、請求項９に記載の剤。
【化７】
2014150744.tif 000013
【化８】
2014150744.tif 000014
【請求項１１】
バラ科作物がサクラ属の果樹であることを特徴とする、請求項８〜１０のいずれか１項に記載の剤。
【請求項１２】
バラ科サクラ属果樹がオウトウであることを特徴とする、請求項１１に記載の剤。
【請求項１３】
収穫当年の発芽期から満開期に施用されるものであることを特徴とする、請求項８〜１２のいずれか１項に記載の剤。
【請求項１４】
蕾又は花に噴霧施用されるものであることを特徴とする、請求項８〜１３のいずれか１項に記載の剤。
【発明の詳細な説明】
【技術分野】
【０００１】
本発明は、バラ科作物の結実を促進する方法等に関するものであって、更に詳細には、オウトウ等の開花後の結実不良を防止し、高温条件等の結実に好ましくない環境においても良好な結実率を実現するための方法等に関するものである。
【背景技術】
【０００２】
バラ科作物の多くが果実などを食用として利用しているが、果実が食用として利用されるバラ科作物の結実率（特に、サクラ属果樹の核果の結実率）は決して高くなく、生産効率や経済性に大きく影響している。
【０００３】
例えば、オウトウは、通常では開花した花の５〜２０％が結実する。オウトウの結実率は年により変動するが、近年、結実不良の発生頻度が増えており、大きな問題となっている。結実不良の発生は、開花期前後が高温になることと関係しており、これによって胚珠の退化が早まることが原因と考えられている（非特許文献１）。今後、地球温暖化の進行によりオウトウの開花期前後が高温になる年がますます増えることが予想され、結実率低下の問題はさらに深刻化する可能性が高い。オウトウなどの栽培を経済的に成り立たせていくためには、果実の結実を安定化させる技術の確立がまさに急務といえる。
【０００４】
オウトウは、山梨県以北で経済的に幅広く栽培されている。開花期は地域によって異なるが、４月上旬から５月中旬までである。この時期、気温は徐々に上昇するが、変動幅も大きく、オウトウの結実を低下させるような気象条件の発生は避けることができない。
【０００５】
オウトウの結実率は、開花期前後の高温のほか、開花期前後に低温に遭遇した場合も低下し、また降雨や強風などにも影響を受ける。低温、降雨、強風などを緩和するためには、例えば開花期前に雨よけフィルムで被覆する方法やハウス妻面およびサイドに防風ネットを設置して対処する方法などが考案されている。しかし、高温に関しては、近年特に多く発生し、深刻な結実不良を招く場合が生じているにもかかわらず、これを克服できる簡便で実用的な技術はこれまで存在せず、加えて好適環境下やその他不良環境下においても明らかに結実を促進する技術というのは確立されていない。
【０００６】
このように、オウトウ等のバラ科作物の結実不良は、生産者にとって大きな損失をもたらす重大な問題であるにもかかわらず、有効な対策は確立されていない。
【０００７】
なお、オウトウの結実率を高める方法として、植物成長調節剤の利用が考えられ、パクロブトラゾールをオウトウの開花前に花芽に施用すると果実の結実率が高まることが知られている（非特許文献２）。しかし、パクロブトラゾールを施用すると、オウトウの新梢の伸長が明らかに抑制され、効き過ぎると樹勢低下と生産力の低下を招くこと、残効性が強く数年間影響が残る場合があること等から、実用上、これを使用することは極めて困難である（非特許文献３）。
【先行技術文献】
【非特許文献】
【０００８】
【非特許文献１】園芸学会雑誌  Ｖｏｌ．６５、Ｎｏ．４（１９９７）Ｐ．７０７−７１２
【非特許文献２】園芸学会雑誌  Ｖｏｌ．７０、Ｎｏ．２（２００１）Ｐ．１５７−１６２
【非特許文献３】果樹栽培の低コスト・省力化技術  ２２号（１９９１）ｐ．２９４−３０８
【発明の概要】
【発明が解決しようとする課題】
【０００９】
本発明は、かかる状況において、オウトウ等のバラ科作物の果実の結実率を簡便且つ効率的に高める剤及び方法を提供し、安定的且つ経済的に当該果実を生産できる手段を生産者に提供する目的でなされたものである。
【課題を解決するための手段】
【００１０】
上記目的達成のため、本発明者らは各方面から検討した結果、所定のシクロヘキサン誘導体を有効成分として含有する剤を施用したところ、全く予期せざることに、有害な副作用を引き起こすことなく、つまり、果実の品質や作物の生長に悪影響を与えずに、果実の結実率を高めることができることをはじめて見出し、本発明を完成した。
【００１１】
すなわち、本発明の実施形態は次のとおりである。
（１）式（Ｉ）（下記化１）で表わされるシクロヘキサン誘導体及び／又はその塩を有効成分として含有する剤を施用することを特徴とする、バラ科作物の果実の結実を促進する方法。
（但し、式（Ｉ）中、Ｒは水素、Ｃ１〜Ｃ６アルキル基、Ｃ１〜Ｃ６ハロアルキル基又はフェニル基（置換されたフェニル基を含む）を表わし、Ｒ１は水素、Ｃ１〜Ｃ６アルキル基、Ｃ３〜Ｃ６シクロアルキル基又はベンジル基（置換されたベンジル基を含む）を表わし、あるいは塩としてはアルカリ金属塩又はアルカリ土類金属塩を表わす。）
（２）該シクロヘキサン誘導体又はその塩が、式（Ｉ）（下記化１）において、Ｒが水素又はＣ１〜Ｃ６アルキル基、Ｒ１がＣ１〜Ｃ６アルキル基又はＣ３〜Ｃ６シクロアルキル基を表わし、塩がカルシウム塩であることを特徴とする、（１）に記載の方法。
（３）該シクロヘキサン誘導体又はその塩が、式（ＩＩ）（下記化３）で表わされる化合物、又は式（ＩＩＩ）（下記化４）で表わされるカルシウム塩化合物であることを特徴とする、（２）に記載の方法。
（４）バラ科作物がサクラ属の果樹であることを特徴とする、（１）〜（３）のいずれか１つに記載の方法。
（５）バラ科サクラ属果樹がオウトウであることを特徴とする、（４）に記載の方法。
（６）収穫当年の発芽期から満開期、好ましくは収穫当年の蕾が露出してから満開期までの間、更に好ましくは収穫当年の蕾が露出してから開花始めまでの間に施用することを特徴とする、（１）〜（５）のいずれか１つに記載の方法。
（７）蕾又は花に噴霧施用することを特徴とする、（１）〜（６）のいずれか１つに記載の方法。
（８）式（Ｉ）（下記化１）で表わされるシクロヘキサン誘導体及び／又はその塩を有効成分として含有することを特徴とする、バラ科作物の果実の結実促進剤。
（但し、式（Ｉ）中、Ｒは水素、Ｃ１〜Ｃ６アルキル基、Ｃ１〜Ｃ６ハロアルキル基又はフェニル基（置換されたフェニル基を含む）を表わし、Ｒ１は水素、Ｃ１〜Ｃ６アルキル基、Ｃ３〜Ｃ６シクロアルキル基又はベンジル基（置換されたベンジル基を含む）を表わし、あるいは塩としてはアルカリ金属塩又はアルカリ土類金属塩を表わす。）
（９）該シクロヘキサン誘導体又はその塩が、式（Ｉ）（下記化１）において、Ｒが水素又はＣ１〜Ｃ６アルキル基、Ｒ１がＣ１〜Ｃ６アルキル基又はＣ３〜Ｃ６シクロアルキル基を表わし、塩がカルシウム塩であることを特徴とする、（８）に記載の剤。
（１０）該シクロヘキサン誘導体又はその塩が、式（ＩＩ）（下記化３）で表わされる化合物、又は式（ＩＩＩ）（下記化４）で表わされるカルシウム塩化合物であることを特徴とする、（９）に記載の剤。
（１１）バラ科作物がサクラ属の果樹であることを特徴とする、（８）〜（１０）のいずれか１つに記載の剤。
（１２）バラ科サクラ属果樹がオウトウであることを特徴とする、（１１）に記載の剤。
（１３）収穫当年の発芽期から満開期、好ましくは収穫当年の蕾が露出してから満開期までの間、更に好ましくは収穫当年の蕾が露出してから開花始めまでの間に施用されるものであることを特徴とする、（８）〜（１２）のいずれか１つに記載の剤。
（１４）蕾又は花に噴霧施用されるものであることを特徴とする、（８）〜（１３）のいずれか１つに記載の剤。
【発明の効果】
【００１２】
本発明によれば、オウトウ等のバラ科作物の果実生産において果実の結実不良を簡便且つ効率的に防ぐ（果実の結実を簡便且つ効率的に促進する）ことができ、たとえ高温条件等の不良環境下においても良好な結実率を実現し、安定した果実生産を可能にする。よって、本発明は、果実生産者に大きな利益をもたらし、ひいては消費者にとっても有益な技術である。
【図面の簡単な説明】
【００１３】
【図１】プロヘキサジオンカルシウム塩処理がオウトウ（佐藤錦）の結実率に及ぼす影響を示したグラフである。横軸が処理に使用した薬液のプロヘキサジオンカルシウム塩濃度（ｃｏｎｔ．は無処理対照区）を、縦軸が結実率を表す。
【図２】プロヘキサジオンカルシウム塩処理がオウトウ（高砂）の結実率に及ぼす影響を示したグラフである。横軸が処理に使用した薬液のプロヘキサジオンカルシウム塩濃度（ｃｏｎｔ．は無処理対照区）を、縦軸が結実率を表す。
【図３】プロヘキサジオンカルシウム塩、トリネキサパックエチル、パクロブトラゾールの各２００ｐｐｍ処理がオウトウ（佐藤錦）の結実率に及ぼす影響を示したグラフである。横軸が処理に使用した薬剤の種類（ｃｏｎｔ．は無処理対照区）を、縦軸が結実率を表す。
【図４】プロヘキサジオンカルシウム塩、トリネキサパックエチル、パクロブトラゾールの各２００ｐｐｍ処理がオウトウ（佐藤錦）の新梢伸長に及ぼす影響を示したグラフである。横軸が処理に使用した薬剤の種類（ｃｏｎｔ．は無処理対照区）を、縦軸が新梢伸長停止後の新梢長を表す。
【図５】プロヘキサジオンカルシウム塩処理濃度がオウトウ（佐藤錦）の結実率に及ぼす影響を示したグラフである。横軸が処理に使用した薬液のプロヘキサジオンカルシウム塩濃度（ｃｏｎｔ．は無処理対照区）を、縦軸が結実率を表す。
【発明を実施するための形態】
【００１４】
本発明で使用するシクロヘキサン誘導体は式（Ｉ）で示され、下記化１の構造を有するものである。
【００１５】
【化１】
2014150744.tif 000002
【００１６】
（式中、Ｒは水素、Ｃ１〜Ｃ６アルキル基、Ｃ１〜Ｃ６ハロアルキル基又はフェニル基（置換されたフェニル基を含む）を表わし、Ｒ１は水素、Ｃ１〜Ｃ６アルキル基、Ｃ３〜Ｃ６シクロアルキル基又はベンジル基（置換されたベンジル基を含む）を表わし、あるいは塩としてはアルカリ金属塩又はアルカリ土類金属塩を表わす。）
【００１７】
シクロヘキサン誘導体（Ｉ）としては、上記した化合物を１種又は２種以上併用すればよいが、例えば式（Ｉ）において、Ｒが水素またはＣ１〜Ｃ６アルキル基、Ｒ１がＣ１〜Ｃ６アルキル基またはＣ３〜Ｃ６シクロアルキル基を表わし、塩がアルカリ金属（ナトリウム、カリウム等）、アルカリ土類金属（カルシウム、マグネシウム等）、アルミニウム、銅、ニッケル、マンガン、コバルト、亜鉛、鉄、または銀を表わし、好ましくはカルシウム塩を表わす場合の化合物が好適例として例示される。
【００１８】
シクロヘキサン誘導体（Ｉ）は、例えば、特公平４−２９６５９号公報に従い、次のように製造することができる（下記化２）。
【００１９】
すなわち、化合物（ＩＶ）又は化合物（Ｖ）（式中、Ｍ１はアルカリ金属原子を示し、Ｒは前記と同じ意味を示す。）と、酸クロライド（Ｒ１ＣＯＣｌ：Ｒ１は前記と同じ意味を示す）とを、γ−ピコリンの存在下または非存在下において、塩基の存在下または非存在下、溶媒の存在下に−２０℃ないし溶媒の沸点の温度範囲、好ましくは室温以下で１０分ないし７時間反応させることにより化合物（ＶＩ）を製造することができる。
ここで塩基としては、例えばトリメチルアミン、トリエチルアミン、トリプロピルアミン、トリブチルアミン、ピリジン、４−Ｎ，Ｎ−ジメチルアミノピリジン等の有機塩基、水酸化ナトリウム、水酸化カリウム、炭酸ナトリウム、炭酸カリウム、炭酸水素ナトリウム等の無機塩基を挙げることができる。
【００２０】
化合物（Ｉ）は、化合物（ＶＩ）を触媒及び溶媒の存在下、室温ないし溶媒の沸点の温度範囲で１ないし１０時間反応させることにより製造することができる。
ここで、触媒としては、４−Ｎ，Ｎ−ジメチルアミノピリジン、４−Ｎ，Ｎ−ジエチルアミノピリジン、４−ピロリジノアミノピリジン等のピリジン誘導体、Ｎ−エチルイミダゾール等のＮ−アルキルイミダゾール誘導体を挙げることができる。
【００２１】
【化２】
2014150744.tif 000003
【００２２】
また、市販品も使用可能であって、例えば、下記化３、化４で示されるプロヘキサジオン及びプロヘキサジオンカルシウム塩（式（ＩＩ）、式（ＩＩＩ）：これらはいずれも市販されており、特にプロヘキサジオンカルシウム塩については「ビビフル（クミアイ化学工業株式会社製品：登録商標）」、「カルタイム（クミアイ化学工業株式会社製品：登録商標）」、「ビオロック（株式会社理研グリーン製品：登録商標）」の商品名で市販されている。）が適宜使用可能である。更に他の例として、下記化５（式（ＶＩＩ））で示されるトリネキサパックエチル（これも「プリモマックス（シンジェンタジャパン株式会社製品：登録商標）」、「スサーノマックス（シンジェンタジャパン株式会社製品：登録商標）」の商品名で市販されている。）も使用可能である。
【００２３】
【化３】
2014150744.tif 000004
【００２４】
【化４】
2014150744.tif 000005
【００２５】
【化５】
2014150744.tif 000006
【００２６】
本発明の方法において、上記式（Ｉ）で示されるシクロヘキサン誘導体の施用量は、対象となるバラ科作物の種類、薬剤の使用形態、使用方法、使用時期などにより適宜規定すればよいが、通常１〜１０００ｐｐｍ、好ましくは１０〜５００ｐｐｍ、更に好ましくは５０〜２００ｐｐｍの濃度にして使用する。目的の濃度に希釈するには、通常の農業用薬剤の希釈に用いられる水又は界面活性剤の水溶液を用いる。
【００２７】
本発明の方法に用いるシクロヘキサン誘導体は、その他に必要に応じて農業上通常用いられる担体、乳化剤、分散剤、展着剤、湿展剤、固着剤、崩壊剤等の補助剤を含有させて、水和剤、乳剤、粉剤、粒剤、顆粒水和剤、ペースト剤等の各種形態に製剤化することができる。
【００２８】
ここで用いられる補助剤としては、以下のものが挙げられる。液体担体としては、水、エタノール、メタノールなどのアルコール類、アセトンなどのケトン類、酢酸エチルなどのエステル類などが挙げられる。また、乳化剤又は分散剤としては、通常、界面活性剤が使用され、例えば高級アルコール硫酸ナトリウム、ステアリルトリメチルアンモニウムクロライド、ポリオキシエチレンアルキルフェニルエーテル、ラウリルベタインなどの陰イオン系界面活性剤、陽イオン系界面活性剤、両性イオン系界面活性剤が挙げられる。ペースト剤の場合、ラノリン、ワセリンなどが用いられる。
【００２９】
本発明の方法には、１種又は２種以上の上記式（Ｉ）で示されるシクロヘキサン誘導体の他に、更に他の殺虫剤、殺ダニ剤、殺センチュウ剤、殺菌剤、除草剤、微生物製剤、肥料、展着剤、その他の農業上許される成分を混合あるいは前後して使用しても良い。
なお、本発明は、１種又は２種以上の上記式（Ｉ）で示されるシクロヘキサン誘導体及び／又はその塩のみを有効成分とするだけでバラ科作物の果実の結実促進効果（着果促進効果）を奏するものであり、他の植物成長促進剤（植物成長調整剤）を併用する必要はないが、他の植物成長促進剤の併用を除外するものではない。
【００３０】
本発明の方法において、上記式（Ｉ）で示されるシクロヘキサン誘導体の施用時期は、作物の種類によっても異なるが、好適には果実収穫当年の発芽期から満開期までの間に、更に好ましくは蕾が露出してから開花始めまでの間に施用する。施用の方法は、上記の希釈液（好ましくは液体剤）を蕾又は花に噴霧する方法などが例示される。なお、本発明は、蕾が露出してから満開期までの間に施用する場合、蕾又は花のみに施用するだけで所定の効果を奏するものであり、植物体全体に施用する必要はないが、植物体全体への施用を除外するものではない。また、施用時期も、果実収穫当年に行うのが好適（果実収穫当年のみの施用でもよい）だが、果実収穫前年以前の施用を除外するものではない。
【００３１】
本発明の適用可能作物としては、バラ科の作物であればイチゴ、リンゴ、ナシ、ビワなど特に限定はされないが、サクラ属（Ｐｒｕｎｕｓ属）の果樹類（オウトウ、モモ、スモモ、プルーン、ネクタリン、ウメ、アンズ、ユスラウメ、アーモンド、その他）に極めて有効である。
また、本発明の方法は、遺伝子組み換え等の技術により形質転換された作物にも同様に使用できる。
【００３２】
以下、本発明の実施例について述べるが、本発明はこれらの実施例のみに限定されるものではなく、本発明の技術的思想内においてこれらの様々な変形が可能である。
【実施例】
【００３３】
（試験例１）
オウトウを対象として、次の実験概要でプロヘキサジオンカルシウム塩が結実率に与える影響について試験を行った。なお、プロヘキサジオンカルシウム塩は、株式会社理研グリーン製品のビオロックフロアブル（登録商標、プロヘキサジオンカルシウム塩２５％含有）を利用して行った。
【００３４】
実験概要
材料：オウトウ（品種：佐藤錦）
２０１０年４月８日開花始め、２０１０年６月４日果実収穫
処理日：２０１０年４月６日
処理方法：背負い式動力噴霧器で薬液が滴る程度に全面散布した。
調査花数：処理区あたり１００〜１５０
【００３５】
処理区
無処理：Ｃｏｎｔ（無処理対照区）
プロヘキサジオンカルシウム塩２００ｐｐｍ処理
プロヘキサジオンカルシウム塩５００ｐｐｍ処理
【００３６】
得られた結果を図１に示した。無処理対照区の結実率が３．８％であったのに対して、プロヘキサジオンカルシウム塩２００ｐｐｍ処理は８．１％、プロヘキサジオンカルシウム塩５００ｐｐｍ処理は１０．８％であり、プロヘキサジオンカルシウム塩処理による明瞭な結実率の向上効果が認められた。
【００３７】
図１の結果から明らかなように、無処理対照区と比較して、開花直前のプロヘキサジオンカルシウム塩処理によってオウトウの結実率の向上が明らかに認められた。しかも、果実の品質はいずれも無処理対照区と同等で、新梢の伸長等の果樹の生育にも影響は無かった。
【００３８】
（試験例２）
次の実験概要にて実施例１と同様の評価試験を行った。
【００３９】
実験概要
材料；オウトウ（品種：高砂）
２０１０年４月４日開花始め、２０１０年６月４日果実収穫
処理日：２０１０年４月２日
処理方法：背負い式動力噴霧器で薬液が滴る程度に全面散布した。
調査花数：処理区あたり１００〜１５０
【００４０】
処理区
無処理：Ｃｏｎｔ（無処理対照区）
プロヘキサジオンカルシウム塩２００ｐｐｍ処理
【００４１】
得られた結果を図２に示した。無処理対照区の結実率が４．３％であったのに対して、プロヘキサジオンカルシウム塩２００ｐｐｍ処理は１０．３％であり、プロヘキサジオンカルシウム塩処理による明瞭な結実率の向上効果が認められた。
【００４２】
図２の結果から明らかなように、無処理対照区と比較して、開花直前のプロヘキサジオンカルシウム塩処理によってオウトウの結実率の向上が明らかに認められた。しかも、果実の品質はいずれも無処理対照区と同等で、新梢の伸長等の果樹の生育にも影響は無かった。
【００４３】
（試験例３）
次の実験概要でプロヘキサジオンカルシウム塩（ビオロックフロアブル）、パクロブトラゾール（バウンティフロアブル：シンジェンタジャパン株式会社製品、登録商標）がオウトウの結実率に与える影響について試験を行った。
【００４４】
実験概要
材料；オウトウ（品種：高砂）
２０１１年４月１６日開花始め、２０１１年６月４日果実収穫
処理日：２０１１年４月１３日
処理方法：背負い式動力噴霧器で薬液が滴る程度に全面散布した。
調査花数：処理区あたり２５０〜３５０
【００４５】
処理区
無処理：Ｃｏｎｔ（無処理対照区）
プロヘキサジオンカルシウム塩２００ｐｐｍ処理
パクロブトラゾール２００ｐｐｍ処理
【００４６】
得られた結果を表１に示した。表１の結果から明らかなように、無処理対照区と比較してプロヘキサジオンカルシウム塩、パクロブトラゾール処理区は結実率の向上が明らかに認められたが、果実の品質はいずれも無処理対照区と同等であった。新梢の伸長はパクロブトラゾール処理区で抑制されたが、プロヘキサジオンカルシウム塩処理区は影響が認められなかった。
【００４７】
【表１】
2014150744.tif 000007
【００４８】
（試験例４）
次の実験概要でプロヘキサジオンカルシウム塩（ビオロックフロアブル）、トリネキサパックエチル（プリモマックス液剤：シンジェンタジャパン株式会社製品、登録商標）、パクロブトラゾール（バウンティフロアブル）がオウトウの結実率に与える影響について試験を行った。
【００４９】
実験概要
材料；オウトウ（品種：佐藤錦）
２０１２年４月２２日開花始め、２０１２年６月１８日果実収穫
処理日：２０１２年４月１７日
処理方法：背負い式動力噴霧器で薬液が滴る程度に全面散布した。
調査花数：処理区あたり２５０〜４００
【００５０】
処理区
無処理：Ｃｏｎｔ．（無処理対照区）
プロヘキサジオンカルシウム塩２００ｐｐｍ処理、
トリネキサパックエチル２００ｐｐｍ処理
パクロブトラゾール２００ｐｐｍ処理
【００５１】
得られた結果を図３に示した。無処理対照区の結実率が１９．２％であったのに対して、プロヘキサジオンカルシウム塩処理は２５．９％、トリネキサパックエチル処理は２６．５％、パクロブトラゾール処理は２９．５％であり、各処理による明瞭な結実率の向上効果が認められた。
【００５２】
図３の結果から明らかなように、無処理対照区と比較して、プロヘキサジオンカルシウム塩、トリネキサパックエチル、パクロブトラゾールの各処理区はオウトウの結実率の向上が明らかに認められた。しかも、果実の品質はいずれも無処理対照区と同等であった。
【００５３】
（試験例５）
試験例４と同様の試験概要で，プロヘキサジオンカルシウム塩、トリネキサパックエチル、パクロブトラゾールがオウトウの新梢伸長に与える影響について試験を行った。
【００５４】
実験概要
試験例４に同じ。
調査枝数：処理区あたり１５本（３鉢×新梢５本）
【００５５】
得られた結果を図４に示した。無処理対照区の新梢長が１０７．１ｍｍであったのに対して、プロヘキサジオンカルシウム塩処理は９５．７ｍｍ、トリネキサパックエチル処理は３６．７ｍｍ、パクロブトラゾール処理は１５．６ｍｍであった。
【００５６】
図４の結果から明らかなように、無処理対照区と比較して、パクロブトラゾール処理区は新梢長が極めて短かった。このように、パクロブトラゾールは施用すると新梢伸長が明らかに抑制され、効き過ぎると樹勢低下と生産力の低下等が生じるため使用は困難であることが確認された。一方、プロヘキサジオンカルシウム塩処理は、無処理対照区と比べて新梢長に大きな差は見られなかった。
【００５７】
（試験例６）
次の実験概要でプロヘキサジオンカルシウム塩（ビオロックフロアブル）の処理濃度がオウトウの結実率に与える影響について試験を行った。
【００５８】
実験概要
材料；オウトウ（品種：佐藤錦）
２０１２年４月２４日開花始め、２０１２年６月２０日果実収穫
処理日：２０１２年４月１８日
処理方法：背負い式動力噴霧器で薬液が滴る程度に全面散布した。
調査花数：処理区あたり１５０〜３００
【００５９】
処理区
無処理：Ｃｏｎｔ．（無処理対照区）
プロヘキサジオンカルシウム塩１２．５ｐｐｍ処理
プロヘキサジオンカルシウム塩２５ｐｐｍ処理
プロヘキサジオンカルシウム塩５０ｐｐｍ処理
プロヘキサジオンカルシウム塩１００ｐｐｍ処理
プロヘキサジオンカルシウム塩２００ｐｐｍ処理
【００６０】
得られた結果を図５に示した。無処理対照区の結実率が１６．０％であったのに対して、プロヘキサジオンカルシウム塩１２．５ｐｐｍ処理は２４．８％、２５ｐｐｍ処理は２６．９％、５０ｐｐｍ処理は２９．６％、１００ｐｐｍ処理は２５．９％、２００ｐｐｍ処理は３７．９％であり、いずれの処理区にも明瞭な結実率の向上効果が認められた。
【００６１】
図５の結果から明らかなように、無処理対照区と比較して、プロヘキサジオンカルシウム塩処理区は処理濃度１２．５ｐｐｍから２００ｐｐｍの間でいずれも結実率の向上が認められた。いずれの試験区も、果実品質は無処理対照区と同等であり、新梢の伸長等にも違いは認められなかった。
【００６２】
（試験例７）
次の実験概要でプロヘキサジオンカルシウム塩（ビオロックフロアブル）の処理濃度および処理時期がオウトウの結実率に与える影響について試験を行った。
【００６３】
実験概要
材料；オウトウ（品種：佐藤錦）
２０１１年４月２４日開花始め、２０１１年６月４日果実収穫
処理方法：背負い式動力噴霧器で薬液が滴る程度に全面散布した。
調査花数：処理区あたり３００〜４００
【００６４】
処理区
無処理：Ｃｏｎｔ（無処理対照区）
プロヘキサジオンカルシウム塩５０ｐｐｍ処理（処理日：２０１１年４月２１日）
プロヘキサジオンカルシウム塩１００ｐｐｍ処理（処理日：２０１１年４月２１日）
プロヘキサジオンカルシウム塩２００ｐｐｍ処理（処理日：２０１１年４月２１日）
プロヘキサジオンカルシウム塩２００ｐｐｍ処理（処理日：２０１１年４月７日）
【００６５】
得られた結果を表２に示した。表２の結果から明らかなように、無処理対照区と比較してプロヘキサジオンカルシウム塩を４月２１日に５０ｐｐｍ、１００ｐｐｍ、２００ｐｐｍ処理した試験区は、いずれも結実率が明瞭に向上した。また、２００ｐｐｍのプロヘキサジオンカルシウム塩を４月７日に処理した試験区についても結実率が明らかに向上した。いずれの試験区も、果実品質は無処理対照区と同等であり、新梢の伸長等にも違いは認められなかった。
【００６６】
【表２】
2014150744.tif 000008
【００６７】
このように本発明は、上記式（Ｉ）で示されるシクロヘキサン誘導体及び／又はその塩を単独の有効成分とし、バラ科作物に負の影響を与えずに果実の結実を顕著に促進し、さらには、収穫前年以前ではなくバラ科作物の収穫当年の開花直前に施用する場合でも効果を奏する、という従来技術にはない特徴（簡便性、経済性等）を有するものである。
【００６８】
本発明を要約すれば次のとおりである。
【００６９】
本発明は、簡便に実施することができ、且つ、効率的にバラ科作物の果実の結実を促進する剤、及び、当該剤を施用する方法を提供することを目的とする。
【００７０】
そして、上記式（Ｉ）で示されるシクロヘキサン誘導体及び／又はその塩を有効成分として含有する剤を施用することで、簡便且つ効率的にバラ科作物の果実の結実を促進する。
【図１】
2014150744.tif 000016
【図２】
2014150744.tif 000017
【図３】
2014150744.tif 000018
【図４】
2014150744.tif 000019
【図５】
2014150744.tif 000020